(57)【要約】【課題】回路基板に実装されている電子部品を、補強桟により生ずる空間に配置することができ、電子部品に阻害されることなく回路基板を表示部に近寄せることができ、薄型表示装置の前後厚さを短縮できるようにする。【解決手段】前側に表示面を有する表示部１の後面１ａに取付けられる補強桟２，２の後側に配置され、且つ電子部品を実装してなる回路基板が装着される台板８は、回路基板が後面１ａと対向するように配置し、回路基板は補強桟２，２と対向する箇所の実装厚さを、後面１ａと対向する箇所の実装厚さより薄くし、台板８と後面１ａとの間に生じる空間に回路基板を収容するようにした。【選択図】図１
2008112125.tif 000002
【特許請求の範囲】
【請求項１】
前側に表示面を有する表示部の後面に、該表示部を補強する補強桟と、複数の電子部品が実装され、且つ前記補強桟の後側に配置される回路基板とを取付けてなる薄型表示装置において、前記回路基板は、電子部品が前記後面と対向するように配置され、且つ前記補強桟と対向する箇所の実装厚さを、前記後面と対向する箇所の実装厚さより薄くしてあることを特徴とする薄型表示装置。
【請求項２】
前側に表示面を有する表示部の後面に、該表示部を補強する補強桟と、電子部品を実装してなる回路基板が装着され、且つ前記補強桟の後側に配置される台板とを取付けてなる薄型表示装置において、前記台板は回路基板が前記後面と対向するように配置され、前記回路基板は補強桟と対向する箇所の実装厚さを、前記後面と対向する箇所の実装厚さより薄くしてあることを特徴とする薄型表示装置。
【請求項３】
前記台板は回路基板が取着される板部と、該板部の縁から回路基板側へ立上り、前記後面に取付けられる立上部とを有する請求項２記載の薄型表示装置。
【請求項４】
前記台板は回路基板が取着される板部と、該板部の周縁から回路基板側へ立上る枠部とを有し、該枠部の前記補強桟と対向する箇所に凹部を設けてある請求項２記載の薄型表示装置。
【請求項５】
前側に表示面を有する表示部の後面に、該表示部を補強する補強桟と、商用電源を降圧する電源回路を有し、前記補強桟よりも後側に配置される回路基板とを取付けてなる薄型表示装置において、前記電源回路の商用電源電圧側の実装部品を前記補強桟と離隔する側に配置してあり、前記電源回路の降圧側の実装部品を前記補強桟と接近する側に配置してあることを特徴とする薄型表示装置。
【請求項６】
前記回路基板は、実装面が前記後面と対向するように配置され、且つ前記補強桟と対向する箇所の実装厚さを、前記後面と対向する箇所の実装厚さより薄くしてある請求項５記載の薄型表示装置。
【請求項７】
複数の電子部品を実装してなる回路基板が一面に装着される台板において、周縁部から前記一面側へ立上る枠部を有し、該枠部の対向する二箇所に、柱形体の側部に嵌められるべき凹部を設けてあることを特徴とする回路基板用の台板。
【請求項８】
複数の実装部品を実装してなる回路基板が一面に装着される台板において、周縁部から前記一面側へ立上り、且つ台板が支持される支持部材に取着されるべき複数の立上部を有することを特徴とする回路基板用の台板。
【発明の詳細な説明】
【技術分野】
【０００１】
本発明は液晶表示装置、プラズマ表示装置等の薄型表示装置、及びこれに装着される回路基板用の台板に関する。
【背景技術】
【０００２】
映像を表示する表示面を前側に有する液晶テレビジョン、プラズマテレビジョン等の薄型表示装置は例えば特許文献１に開示されている。
【０００３】
図８は従来の薄型表示装置の構成を示す後側の斜視図、図９は横断拡大平面図、図１０は回路基板が装着された台板の前側斜視図である。薄型表示装置は、前側にパネル部１００を有し、後側に該パネル部１００へ光を照射するバックライト部１０１を有する表示部１０２の後面１０２ａの横方向二箇所に横断面凹状の補強桟１０３，１０３が取付けられており、また、複数種類の回路基板１０４が一面に装着されている台板１０５が補強桟１０３，１０３の後側に配置され、該台板１０５の複数箇所が後面１０２ａにビスにより取付られている。
【０００４】
台板１０５に装着されている回路基板１０４の一面には複数の電子部品１０４ａが実装されており、台板１０５が表示部１０２の後面１０２ａに取付けられたとき、図９に示すように補強桟１０３，１０３の後側に台板１０５が配置され、該台板１０５の後側に回路基板１０４上の電子部品１０４ａが配置される。
【０００５】
図１１の(a) は従来の薄型表示装置の構成を示す模式的背面図、図１１の(b) は模式的平面図である。薄型表示装置における表示部１０２の後面１０２ａには、前記バックライト部１０１を駆動するインバータ回路基板、前記パネル部１００の駆動及び制御を行う制御回路基板、前記パネル部１００に表示する映像を処理させるメイン回路基板１０６、該メイン回路基板１０６に電圧を供給する電源回路基板１０７等の複数の回路基板が前記後面１０２ａと平行的に取付けられている。
【０００６】
これら回路基板において、電源回路基板１０７は、商用電源である１００Ｖを変圧器を用いて降圧して所定の電源電圧を生成するものであり、変圧器及び該変圧器の商用電源電圧側に配置される電解コンデンサ、コイル等の複数の商用電源電圧側（一次側又は高圧側ともいう）の電子部品１０７ａと、変圧器の降圧側に配置される整流ダイオード等の複数の降圧側（二次側又は低圧側ともいう）の電子部品１０７ｂとを有し、これら商用電源電圧側及び降圧側の電子部品１０７ａ，１０７ｂが無秩序に並置されており、商用電源電圧側及び降圧側の電子部品１０７ａ，１０７ｂが実装面よりも後側となるように前記後面１０２ａに取付けられる。また、薄型表示装置のレイアウト上、前記補強桟１０３と対向する位置に電源回路基板１０７が配置されることがある。
【０００７】
ところで、表示部１０２の後面１０２ａに電源回路基板１０７が取付けられている薄型表示装置は、電源回路基板１０７が商用電源電圧側の部品となり、表示部１０２が降圧側の部品となる。このように商用電源電圧側及び降圧側の部品を備える音響機器、テレビジョン等の電気機器は、安全規格ＩＥＣ６００６５（国際電気標準会議の安全規格）により、商用電源電圧側の部品と降圧側の部品との間に強化絶縁距離（６mm）を確保することが要求されている。しかし、実使用時にはマージンをとって強化絶縁距離（７mm）を確保するのが好ましい。
【０００８】
図１２は従来の薄型表示装置の他の回路基板及び台板部分の斜視図である。また、回路基板１０４が装着されている台板１０５には、電子部品の周りを遮蔽する深皿状の電磁波遮蔽板１０６が図１２に示すように装着され、外部の電磁波が回路基板１０４上の電子部品に影響するのを防ぐように構成されることもある。
【特許文献１】特開２００５−１９１７８７号公報
【発明の開示】
【発明が解決しようとする課題】
【０００９】
ところが、図８〜図１０に示すように表示部１０２の後面１０２ａに補強桟１０３が取付けられ、該補強桟１０３の後側に、回路基板１０４が装着されている台板１０５が取付られる薄型表示装置にあっては、回路基板１０４に実装されている電子部品１０４ａが台板１０５の後側に配置されるため、薄型表示装置の前後厚さを短縮する設計を行うとき、前記電子部品１０４ａが厚さ短縮の障害となり、改善策が要望されていた。
【００１０】
また、補強桟１０３と対向する位置に電源回路基板１０７が配置されるレイアウトの薄型表示装置にあっては、商用電源電圧側の部品である電源回路基板１０７と、降圧側の部品であり降圧側のグランド電位を持つ補強桟（表示部）１０３との間に、上記安全規格が定める強化絶縁距離を確保する必要があり、補強桟１０３に対して電源回路基板１０７を前記強化絶縁距離以上に離隔して配置する必要があるため、薄型表示装置の前後厚さを短縮する設計を行うとき、上記安全規格が厚さ短縮の障害となる。
【００１１】
本発明は表示部の後面に補強桟が取付けられる薄型表示装置にあっては、補強桟の後側に配置される台板と前記後面との間に、補強桟に対応する空間が生ずることに着目し、回路基板に実装されている電子部品を前記空間に配置することにより、薄型表示装置の前後厚さを短縮することができるようにした。また、上記安全規格では降圧側の部品同士間の絶縁距離は規定されていないことに着目し、商用電源電圧側の電子部品と降圧側の電子部品とを分けて配置し、商用電源電圧側の電子部品を補強桟と離隔させることにより薄型表示装置の前後厚さを短縮することができるようにした。
【００１２】
即ち、主たる目的は一面に電子部品が実装されている回路基板を、電子部品が表示部の後面と対向するように配置し、補強桟と対向する箇所の実装厚さを、前記後面と対向する箇所の実装厚さより薄くすることにより、電子部品に阻害されることなく回路基板を表示部に近寄せることができ、全体の前後厚さを短縮することができる薄型表示装置を提供することにある。
【００１３】
また、他の目的は電子部品を実装してなる回路基板が装着され、且つ補強桟の後側に配置される台板を、回路基板が前記後面と対向するように配置し、回路基板は補強桟と対向する箇所の実装厚さを、前記後面と対向する箇所の実装厚さより薄くすることにより、電子部品に阻害されることなく回路基板を表示部に近寄せることができ、全体の前後厚さを短縮できる薄型表示装置を提供することにある。
【００１４】
また、他の目的は台板を、回路基板が取着される板部と、該板部の縁から回路基板側へ立上り、前記後面に取付けられる立上部とを有する構成とすることにより、台板を電磁波遮蔽板と兼用にできる薄型表示装置を提供することにある。
【００１５】
また、他の目的は台板を、回路基板が取着される板部と、該板部の周縁から回路基板側へ立上る枠部とを有し、該枠部の前記補強桟と対向する箇所に凹部を設けてある構成とすることにより、台板を電磁波遮蔽板と兼用にできるとともに、台板による電磁波遮蔽性を高めることができる薄型表示装置を提供することにある。
【００１６】
また、他の目的は補強桟よりも後側に配置される回路基板の商用電源電圧側の実装部品を補強桟と離隔する側に配置し、降圧側の実装部品を補強桟と接近する側に配置することにより、安全規格が定める強化絶縁距離に制約されることなく回路基板を表示部に近寄せることができ、補強桟と商用電源電圧側及び降圧側の実装部品を有する回路基板との間の距離を短縮でき、全体の前後厚さを短縮できる薄型表示装置を提供することにある。
【００１７】
また、他の目的は補強桟よりも後側に配置される第２の回路基板を、実装面が前記後面と対向するように配置し、補強桟と対向する箇所の実装厚さを、前記後面と対向する箇所の実装厚さより薄くすることにより、第２の回路基板を表示部により一層近寄せることができ、薄型表示装置の前後厚さをより一層短縮できる薄型表示装置を提供することにある。
【００１８】
また、他の目的は複数の電子部品を実装してなる回路基板が一面に装着される台板を、周縁部から前記一面側へ立上る枠部を有し、該枠部の対向する二箇所に、柱形体の側部に嵌められるべき凹部を設けてある構成とすることにより、柱形体の外側に台板が配置される薄型表示装置等の物品に台板が組み込まれる場合、電子部品に阻害されることなく回路基板を薄型表示装置等の物品に近寄せることができ、前記物品の前後厚さを短縮し得る回路基板用の台板を提供することにある。
【００１９】
また、他の目的は複数の実装部品を実装してなる回路基板が一面に装着される台板を、周縁部から前記一面側へ立上り、且つ台板が支持される支持部材に取着されるべき複数の立上部を有する構成とすることにより、柱形体の外側に台板が配置される薄型表示装置等の物品に台板が組み込まれる場合、該台板及び実装部品に阻害されることなく回路基板を薄型表示装置等の物品に近寄せることができ、前記物品の前後厚さを短縮し得る回路基板用の台板を提供することにある。
【課題を解決するための手段】
【００２０】
本発明に係る薄型表示装置は、前側に表示面を有する表示部の後面に、該表示部を補強する補強桟と、複数の電子部品が実装され、且つ前記補強桟の後側に配置される回路基板とを取付けてなる薄型表示装置において、前記回路基板は、電子部品が前記後面と対向するように配置され、且つ前記補強桟と対向する箇所の実装厚さを、前記後面と対向する箇所の実装厚さより薄くしてあることを特徴とする。
【００２１】
この発明にあっては、実装されている電子部品が表示部の後面と対向するように回路基板が配置されているため、補強桟により生ずる空間に電子部品を配置することができ、しかも、回路基板は補強桟と対向する箇所の実装厚さが、前記後面と対向する箇所の実装厚さより薄いため、電子部品に阻害されることなく回路基板を表示部に近寄せることができ、薄型表示装置の前後厚さを短縮できる。
【００２２】
また、本発明に係る薄型表示装置は、前側に表示面を有する表示部の後面に、該表示部を補強する補強桟と、電子部品を実装してなる回路基板が装着され、且つ前記補強桟の後側に配置される台板とを取付けてなる薄型表示装置において、前記台板は回路基板が前記後面と対向するように配置され、前記回路基板は補強桟と対向する箇所の実装厚さを、前記後面と対向する箇所の実装厚さより薄くしてあることを特徴とする。
【００２３】
この発明にあっては、装着されている回路基板が表示部の後面と対向するように台板が配置されているため、回路基板に実装されている電子部品を、補強桟により生ずる空間に配置することができ、しかも、台板は補強桟と対向する箇所の実装厚さが、前記後面と対向する箇所の実装厚さより薄いため、電子部品に阻害されることなく回路基板を表示部に近寄せることができ、薄型表示装置の前後厚さを短縮できる。
【００２４】
また、本発明に係る薄型表示装置は、前記台板は回路基板が取着される板部と、該板部の縁から回路基板側へ立上り、前記後面に取付けられる立上部とを有することを特徴とする。
【００２５】
この発明にあっては、回路基板に実装されている電子部品の後側に板部があるため、台板を電磁波遮蔽板と兼用にできる。従って、台板と別個に電磁波遮蔽板を設ける必要がなく、構造を簡素にでき、軽量にできる。
【００２６】
また、本発明に係る薄型表示装置は、前記台板は回路基板が取着される板部と、該板部の周縁から回路基板側へ立上る枠部とを有し、該枠部の前記補強桟と対向する箇所に凹部を設けてあることを特徴とする。
【００２７】
この発明にあっては、回路基板に実装されている電子部品の後側に板部があり、該電子部品を枠部が取り囲んでいるため、台板を電磁波遮蔽板と兼用にできるとともに、台板による電磁波遮蔽性を高めることができる。従って、台板と別個に電磁波遮蔽板を設ける必要がなく、構造を簡素にでき、軽量にできる。
【００２８】
また、本発明に係る薄型表示装置は、前側に表示面を有する表示部の後面に、該表示部を補強する補強桟と、商用電源を降圧する電源回路を有し、前記補強桟よりも後側に配置される回路基板とを取付けてなる薄型表示装置において、前記電源回路の商用電源電圧側の実装部品を前記補強桟と離隔する側に配置してあり、前記電源回路の降圧側の実装部品を前記補強桟と接近する側に配置してあることを特徴とする。
【００２９】
この発明にあっては、補強桟よりも後側に配置される回路基板の商用電源電圧側の実装部品が補強桟と離隔する側に配置され、降圧側の実装部品が補強桟と接近する側に配置されているため、安全規格が定める強化絶縁距離に制約されることなく回路基板を表示部に近寄せることができ、補強桟と商用電源電圧側及び降圧側の実装部品を有する回路基板との間の距離を短縮でき、薄型表示装置の前後厚さを短縮できる。
【００３０】
また、本発明に係る薄型表示装置は、前記回路基板は、実装面が前記後面と対向するように配置され、且つ前記補強桟と対向する箇所の実装厚さを、前記後面と対向する箇所の実装厚さより薄くしてあることを特徴とする。
【００３１】
この発明にあっては、補強桟よりも後側に配置される第２の回路基板の実装面が表示部の後面と対向しており、また、降圧側部品は商用電源電圧側部品よりも実装面に対する高さが低いため、第２の回路基板を表示部により一層近寄せることができ、薄型表示装置の前後厚さをより一層短縮できる。
【００３２】
また、本発明に係る回路基板用の台板は、複数の電子部品を実装してなる回路基板が一面に装着される台板において、周縁部から前記一面側へ立上る枠部を有し、該枠部の対向する二箇所に、柱形体の側部に嵌められるべき凹部を設けてあることを特徴とする。
【００３３】
この発明にあっては、枠部内に電子部品を配置することができ、しかも、枠部に設けられている凹部を柱形体の側部に嵌めることにより、回路基板を柱形体に近寄せることができる。従って、柱形体が取付けられ、且つ該柱形体の外側に台板が配置される薄型表示装置等の物品に台板が組み込まれる場合、電子部品に阻害されることなく回路基板を薄型表示装置等の物品に近寄せることができ、前記物品の前後厚さを短縮し得る。
【００３４】
また、本発明に係る回路基板用の台板は、複数の実装部品を実装してなる回路基板が一面に装着される台板において、周縁部から前記一面側へ立上り、且つ台板が支持される支持部材に取着されるべき複数の立上部を有することを特徴とする。
【００３５】
この発明にあっては、柱形体を有する支持部材に台板が取付けられる際、立上部及び実装部品を前記柱形体の側方へ離隔配置することができるため、回路基板を柱形体に近寄せることができる。従って、表示部の後面に柱形体が取付けられ、且つ該柱形体の外側に台板が配置される薄型表示装置等の物品に台板が組み込まれる場合、該台板及び実装部品に阻害されることなく回路基板を薄型表示装置等の物品に近寄せることができ、前記物品の前後厚さを短縮し得る。
【発明の効果】
【００３６】
以上詳述したように本発明によれば、補強桟により生ずる空間に電子部品を配置することができ、しかも、電子部品に阻害されることなく回路基板を表示部に近寄せることができ、薄型表示装置の前後厚さを短縮できる。
【００３７】
また、本発明によれば、回路基板に実装されている電子部品を、補強桟により生ずる空間に配置することができ、しかも、電子部品に阻害されることなく回路基板を表示部に近寄せることができ、薄型表示装置の前後厚さを短縮できる。
【００３８】
また、本発明によれば、台板を電磁波遮蔽板と兼用にでき、台板と別個に電磁波遮蔽板を設ける必要がなく、構造を簡素にでき、軽量にできる。
【００３９】
また、本発明によれば、台板を電磁波遮蔽板と兼用にできるとともに、台板による電磁波遮蔽性を高めることができる。
【００４０】
また、本発明によれば、安全規格が定める強化絶縁距離に制約されることなく回路基板を表示部に近寄せることができ、補強桟と商用電源電圧側及び降圧側の実装部品を有する回路基板との間の距離を短縮でき、薄型表示装置の前後厚さを短縮できる。
【００４１】
また、本発明によれば、商用電源電圧側部品及び降圧側部品を有し、補強桟よりも後側に配置される第２の回路基板を表示部により一層近寄せることができ、薄型表示装置の前後厚さをより一層短縮できる。
【００４２】
また、本発明によれば、柱形体が取付けられ、且つ該柱形体の外側に台板が配置される薄型表示装置等の物品に台板が組み込まれる場合、電子部品に阻害されることなく回路基板を薄型表示装置等の物品に近寄せることができ、前記物品の前後厚さを短縮し得る。
【００４３】
また、本発明によれば、柱形体が取付けられ、且つ該柱形体の外側に台板が配置される薄型表示装置等の物品に台板が組み込まれる場合、台板及び実装部品に阻害されることなく回路基板を薄型表示装置等の物品に近寄せることができ、前記物品の前後厚さを短縮し得る。
【発明を実施するための最良の形態】
【００４４】
以下本発明をその実施の形態を示す図面に基づいて詳述する。
実施の形態１
図１は本発明に係る薄型表示装置の構成を示す後側の斜視図、図２は横断拡大平面図、図３は回路基板が装着された台板の前側斜視図である。
【００４５】
図示した薄型表示装置は、前側にパネル部１１を有し、後側に該パネル部１１へ光を照射するバックライト部１２を有し、略直方体をなす表示部１と、該表示部１の後面１ａで、横方向中間の二箇所に取付けられた補強桟２，２と、バックライト部１２を駆動するインバータ回路基板３，３と、パネル部１１の駆動及び制御を行う制御回路基板４と、パネル部１１に表示する映像を処理させるメイン回路基板５及びサブ回路基板６と、メイン回路基板５及びサブ回路基板６に電圧を供給する電源回路基板７と、メイン回路基板５，サブ回路基板６及び電源回路基板７が装着される台板８とを備える液晶テレビジョンである。
【００４６】
インバータ回路基板３，３、制御回路基板４、メイン回路基板５、サブ回路基板６及び電源回路基板７の夫々の一面には複数の電子部品が実装されている。
【００４７】
パネル部１１は、前側に表示面を有し略直方体をなすパネル１１ａ、及び該パネル１１ａの後側に配置された拡散板等の光学シート１１ｂを備える。バックライト部１２は、前記光学シート１１ｂの後側に上下に並置され、該光学シート１１ｂ側へ光を照射する複数本のランプと、該ランプを収容支持する筺体１２ａとを備える。前記ランプは両端部に電極を有する冷陰極管であり、夫々のランプの両端部の電極にインバータ回路基板３，３が接続され、パルス幅変調信号により明るさが制御されるように構成されている。
【００４８】
筺体１２ａは略直方体をなし、金属板を成形してなる枠部と、該枠部の後側端を閉塞し、金属板を成形してなる蓋板とを有し、該蓋板が表示部１の後面１ａになっている。
【００４９】
後面１ａの両側部にはインバータ回路基板３，３がビスにより取付けられており、後面１ａの下部で横方向中央部には制御回路基板４がビスにより取付けられている。また、後面１ａの制御回路基板４及びインバータ回路基板３，３の間に補強桟２，２が取付られ、該補強桟２，２の後側に、メイン回路基板５，サブ回路基板６及び電源回路基板７が後面１ａと対向するように台板８を配置してある。
【００５０】
補強桟２，２は金属板を断面凹形に成形してなり、後面１ａに載置されて複数のビスにより取付けられ、筺体１２ａを補強、ひいては表示部１を補強している。
【００５１】
台板８は後面１ａと対向し、メイン回路基板５，サブ回路基板６及び電源回路基板７が一面に取着される板部８１と、該板部８１の周縁から回路基板側（一面側）へ立上る枠部８２と、該枠部８２の複数の周方向位置から外向きに延出された複数の取付部８３とを有する金属板からなり、取付部８３が後面１ａにビス止めされるように構成されている。
【００５２】
板部８１は直方形をなし、長手方向一側の一面にメイン回路基板５とサブ回路基板６とが長手方向に並べて取付けられ、長手方向他側の一面に電源回路基板７が取付けられている。
【００５３】
台板８の枠部８２は略直方体をなし、該枠部８２で、補強桟２，２と対向する四箇所、詳しくは上片の横方向へ離隔した二箇所及び下片の横方向へ離隔した二箇所に、補強桟２，２に対応する凹部８４、換言すると補強桟２，２の厚さより深い凹部８４が設けられており、取付部８３が後面１ａに取付けられたとき、補強桟２，２と凹部８４の底面との間に若干の隙間が生ずるように構成されている。
【００５４】
台板８が後面１ａに取付けられたとき補強桟２，２と対向するメイン回路基板５及び電源回路基板７の補強桟２，２と対向する箇所は実装厚さが薄くなる電子部品ａを実装し、後面１ａと対向する箇所は実装厚さが厚くなる電子部品ｂを実装することにより電子部品ａ，ｂが補強桟２，２に当接しないようにしてある。
【００５５】
以上のように構成された薄型表示装置は、表示部１の後面１ａに、二つの補強桟２，２と、インバータ回路基板３，３と、制御回路基板４と、メイン回路基板５，サブ回路基板６と、電源回路基板７とが取付けられている。
【００５６】
補強桟２，２は後面１ａに載置され、インバータ回路基板３，３及び制御回路基板４は補強桟２，２と対向しない箇所に取付けられている。メイン回路基板５，サブ回路基板６及び電源回路基板７は台板８に装着され、該台板８が補強桟２，２の後側に配置されており、該台板８と後面１ａとの間に補強桟２，２の厚さ相当分の空間が生じている。台板８はメイン回路基板５，サブ回路基板６及び電源回路基板７が後面１ａと対向するように配置されているため、電子部品ａ，ｂが実装されているメイン回路基板５，サブ回路基板６及び電源回路基板７を前記空間に収容することができる。従って、後面１ａより後側の前後厚さ、詳しくは台板８の他面と後面１ａとの間の距離を、図５に示す従来の薄型表示装置の後面より後側の前後厚さ（電子部品の末端と後面との間の距離）より短縮することができ、薄型表示装置の前後厚さを短縮することができる。
【００５７】
また、台板８に装着されているメイン回路基板５，サブ回路基板６及び電源回路基板７を台板８が被覆し、該台板８が電磁波遮蔽板を兼ねているため、電磁波遮蔽板を特別に設ける必要がなく、構造を簡素にでき、軽量にできる。
【００５８】
実施の形態２
この薄型表示装置は、台板８をなくし、補強桟２，２の後側に配置されるメイン回路基板５及び電源回路基板７を、実装されている電子部品が後面１ａと対向するように後面１ａに取付け、補強桟２，２と対向する箇所の実装厚さを、後面１ａと対向する箇所の実装厚さより薄くしたものである。
【００５９】
メイン回路基板５及び電源回路基板７の周縁部には電子部品側へ延出された複数の取付片が設けられ、該取付片が後面１ａに取付けられることにより電子部品を、補強桟２，２により生ずる前記空間に収容し、薄型表示装置の前後厚さを短縮してある。
その他の構成及び作用は図１〜図３に示した実施の形態１と同様であるため、同様の部品については同じ符合を付し、その詳細な説明及び作用効果の説明を省略する。
【００６０】
実施の形態３
図４の(a) は薄型表示装置の他の構成を示す模式的背面図、図４の(b) は模式的平面図である。この薄型表示装置は、商用電源を降圧する電源回路を構成する変圧器と、該変圧器に接続され、商用電源電圧側（一次側又は高圧側ともいう）の電解コンデンサ、コイル等の複数の実装部品７１、及び降圧側（二次側又は低圧側ともいう）の整流ダイオード等の複数の実装部品７２が実装され、商用電源である１００Ｖを変圧器を用いて降圧して所定の電源電圧を生成する電源回路基板７ａを備え、該電源回路基板７ａが、非実装面が後面１ａ及び補強桟２と対向するように後面１ａに取付けられている。
【００６１】
電源回路基板７ａは、降圧側の実装部品７２を一側に並置し、商用電源電圧側の実装部品７１を他側に並置してあり、この電源回路基板７ａを後面１ａに取付ける際、商用電源電圧側の実装部品７１が補強桟２と離隔する側に配置され、降圧側の実装部品７２が補強桟２と接近する側に配置される。
【００６２】
また、電源回路基板７ａの周縁部には実装部品７１，７２側へ延出された複数の取付片が設けられ、該取付片が後面１ａに取付けられるように構成されている。
【００６３】
以上のように構成された薄型表示装置は、補強桟２よりも後側に電源回路基板７ａが配置され、該電源回路基板７ａに実装されている商用電源電圧側及び降圧側の実装部品７１，７２は実装面よりも後側に配置されており、電源回路基板７ａが商用電源電圧側の部品となり、筺体１２ａ及び補強桟２が降圧側の部品となる。しかし、電源回路基板７ａは、商用電源電圧側の実装部品７１が補強桟２と離隔する側に配置され、降圧側の実装部品７２が補強桟２と接近する側に配置されているため、換言すると降圧側の補強桟２と対向する側に降圧側の実装部品７２が配置されているため、上記安全規格が定める強化絶縁距離に制約されることなく電源回路基板７ａを補強桟２に近寄せることができ、電源回路基板７ａと補強桟２との間の距離を、図１０に示す従来の薄型表示装置の後面１ａより後側の前後厚さ（実装部品の末端と後面１ａとの間の距離）より短縮することができ、薄型表示装置の前後厚さを短縮することができる。この場合、商用電源電圧側の実装部品７１は降圧側の筺体１２ａの後面（１ａ）と対向するため、商用電源電圧側の実装部品７１及び後面１ａ間は、前記強化絶縁距離以上に離隔するが、後面１ａと補強桟２との間には前後の段差があるため、この段差分だけ電源回路基板７ａを補強桟２に近寄せることができる。
その他の構成及び作用は図１〜図３に示した実施の形態１と同様であるため、同様の部品については同じ符合を付し、その詳細な説明及び作用効果の説明を省略する。
【００６４】
実施の形態４
図５は薄型表示装置の他の構成を示す模式的平面図である。この薄型表示装置は、実施の形態３の電源回路基板７ａを一面に支持する支持部材としての台板８ａを備え、該台板８ａの他面が後面１ａ及び補強桟２と対向するように後面１ａに取付けられている。
【００６５】
台板８ａは後面１ａ及び補強桟２と対向し、電源回路基板７ａが一面に取着される板部８１と、該板部８１の両側縁から他面側（回路基板と反対側）へ立上る立上部８５とを有する金属板からなり、支持部材としての表示部１（詳しくは筺体１２ａ）に立上部８５がビス止めされるように構成されている。
その他の構成及び作用は図１〜図４に示した実施の形態１〜３と同様であるため、同様の部品については同じ符合を付し、その詳細な説明及び作用効果の説明を省略する。
【００６６】
実施の形態５
図６の(a) は薄型表示装置の他の構成を示す模式的背面図、図６の(b) は模式的平面図、図７は要部の模式的拡大図である。この薄型表示装置は、実施の形態２及び実施の形態３の構成を組合わせたものである。
【００６７】
補強桟２よりも後側に配置される電源回路基板７ａは、商用電源である１００Ｖを変圧器を用いて降圧して所定の電源電圧を生成するものであり、変圧器７１ａと、該変圧器７１ａに接続され、商用電源電圧側（一次側又は高圧側ともいう）の電解コンデンサ、コイル等の複数の実装部品７１、及び降圧側（二次側又は低圧側ともいう）の整流ダイオード等の複数の実装部品７２とを有しており、降圧側の実装部品７２を一側に並置し、商用電源電圧側の実装部品７１を他側に並置してある。降圧側の実装部品７２は商用電源電圧側の実装部品７１よりも実装面からの高さが低い。
【００６８】
この電源回路基板７ａを後面１ａに取付ける際、商用電源電圧側の実装部品７１が後面１ａと対向し、降圧側の実装部品７２が補強桟２と接近して対向するように後面１ａに取付け、補強桟２と対向する箇所の実装厚さを、後面１ａと対向する箇所の実装厚さより薄くする。
【００６９】
この薄型表示装置にあっては、降圧側の実装部品７２の実装面からの高さが、商用電源電圧側の実装部品７１の実装面からの高さよりも低い上、降圧側の実装部品７２が補強桟２と接近する側に配置されているため、安全規格が定める強化絶縁距離に制約されることなく電源回路基板７ａを補強桟２により一層近寄せることができ、電源回路基板７ａと補強桟２との間の距離をより一層短縮することができ、薄型表示装置の前後厚さをより一層短縮することが可能である。
【００７０】
尚、以上説明した実施の形態では二つの補強桟２，２を備える構成したが、その他、一つの補強桟２を備える構成としてもよい。また、メイン回路基板５，サブ回路基板６及び電源回路基板７，７ａが装置される台板８，８ａを備える構成としたが、その他、台板８，８ａに装着される回路基板は一つ、二つ、又は四つ以上であってもよく、その個数、及び種類は特定されない。
【００７１】
また、本発明に係る薄型表示装置は液晶テレビジョン等の液晶表示装置である他、プラズマ表示装置、ＥＬディスプレイ等の表示装置であってもよい。
【図面の簡単な説明】
【００７２】
【図１】本発明に係る薄型表示装置の構成を示す後側の斜視図である。
【図２】本発明に係る薄型表示装置の構成を示す横断拡大平面図である。
【図３】本発明に係る薄型表示装置の回路基板が装着された台板の前側斜視図である。
【図４】(a) は本発明に係る薄型表示装置の他の構成を示す模式的背面図、(b) は模式的平面図である。
【図５】本発明に係る薄型表示装置の他の構成を示す模式的平面図である。
【図６】(a) は本発明に係る薄型表示装置の他の構成を示す模式的背面図、(b) は模式的平面図である。
【図７】本発明に係る薄型表示装置の要部の模式的拡大図である。
【図８】従来の薄型表示装置の構成を示す後側の斜視図である。
【図９】従来の薄型表示装置の構成を示す横断拡大平面図である。
【図１０】従来の薄型表示装置の回路基板が装着された台板の前側斜視図である。
【図１１】(a) は従来の薄型表示装置の構成を示す模式的背面図、(b) は模式的平面図である。
【図１２】従来の薄型表示装置の他の回路基板及び台板部分の斜視図である。
【符号の説明】
【００７３】
１    表示部
１ａ  後面
１１  表示部
１２ａ  筺体（支持部材）
２    補強桟
５    メイン回路基板
６    サブ回路基板
７，７ａ    電源回路基板
ａ，ｂ  電子部品
７１  商用電源電圧側の実装部品
７２  降圧側の実装部品
８，８ａ    台板
８１  板部
８２  枠部
８４  凹部
８５  立上部
【図１】
2008112125.tif 000003
【図２】
2008112125.tif 000004
【図３】
2008112125.tif 000005
【図４】
2008112125.tif 000006
【図５】
2008112125.tif 000007
【図６】
2008112125.tif 000008
【図７】
2008112125.tif 000009
【図８】
2008112125.tif 000010
【図９】
2008112125.tif 000011
【図１０】
2008112125.tif 000012
【図１１】
2008112125.tif 000013
【図１２】
2008112125.tif 000014